(57)【要約】本発明は、サイドボタンを具備したポンピング式化粧品容器に関し、ユーザーがボタン部を加圧の時に、ボタン部自体の弾性力によってボタン部が弾性変形することによってポンピング作動が行われ、内容物が吐出するように構成される。このことにより、別途のポンピング部材が存在しなくても、簡単な構造を介して内容物を容易く吐出することができるので、組立時間の短縮はもちろん、製造コストを節減することができる。【選択図面】図１【特許請求の範囲】
【請求項１】
内容物を貯蔵し、貯蔵した内容物を排出するように排出部を具備する容器本体と、
前記排出部を包んで結合し、前記容器本体に貯蔵した内容物が流入するように内容物流入ホールが形成され、前記内容物の流入ホールを開閉するように、第1チェックバルブが設置されるバルブハウジングと、
前記バルブハウジングに結合し、内容物が移動する通路を形成するシリンダー本体と、前記シリンダ本体の下部に延長し形成され、前記容器本体に貯蔵した内容物を前記シリンダー本体の内部に流入する内容物流入管と、前記シリンダ本体の上部に延長し形成され、前記シリンダー本体の内部に流入した内容物を流出する内容物流出管とを含むシリンダ部と、
前記シリンダー本体の内部に結合するボタン本体と、前記ボタン本体の先端に位置し、ユーザーの加圧可否によって、その形状が変化する弾性材質の加圧部と、前記加圧部操作によって、シリンダ本体に流入した内容物を流出するように、前記ボタン本体の側面に、前記内容物流出管と連通する内容物流出ホールとを含むボタン部と、
前記ボタン部内側に結合し、前記加圧部の加圧可否によって、前記ボタン本体の内周面に密着した状態で移動し、前記シリンダー部の内部圧力を変化させるピストン部と、
前記内容物の流出ホールを通って流出する内容物を外部に吐出し、ユーザーの肌に塗布することができるように内容物吐出ホールが形成されたアプリケータと、
前記アプリケータを支持し、その側面にボタン部を挿入し、外部に露出するように挿入ホールが形成される支持体と、を含むことを特徴とするサイドボタンを具備したポンピング式化粧品容器。
【請求項２】
前記ピストン部は、前記内容物流入管を介して、前記シリンダー本体の内部に流入した内容物を、内容物流出管に移動するように内容物移動ホールが形成され、前記内容物移動ホールを開閉する第2チェックバルブが設置されるピストン本体と、
前記ピストン本体の側面を取り囲んで延長し形成され、前記ボタン本体の内周面に密着し形成される延長部と、をさらに含むことを特徴とする、請求項1に記載のサイドボタンを具備したポンピング式化粧品容器。
【請求項３】
前記延長部は、前記加圧部の加圧可否によって、前記内容物流出ホールを開閉し、未使用時には、前記内容物流出ホールを閉栓した状態で位置し、前記加圧部の加圧によりピストン本体が移動することにより、前記内容物流出ホールを開栓するように構成されることを特徴とする、請求項2に記載のサイドボタンを具備したポンピング式化粧品容器。
【請求項４】
前記加圧部の内側には、前記ピストン本体に結合し、ピストン部を固定する固定突起を具備し、前記固定突起には、前記ピストン本体に流入した内容物が、前記内容物流出ホールを通って流出するように内容物移動溝が形成されることを特徴とする、請求項3に記載のサイドボタンを具備したポンピング式化粧品容器。
【請求項５】
前記シリンダー本体の下端には、前記内容物流入管を介して流入する内容物がシリンダ本体に移動するように連通ホールが形成されることを特徴とする、請求項1に記載のサイドボタンを具備したポンピング式化粧品容器。
【発明の詳細な説明】
【技術分野】
【０００１】
本発明は、サイドボタンを具備したポンピング式化粧品容器に関し、より詳細には、ユーザーがボタン部を加圧の時に、ボタン部自体の弾性力によってボタン部が弾性変形することによってポンピング作動が行われ、内容物を吐出するように構成されることにより、別途のポンピング部材が存在しなくても、簡単な構造を介して内容物を容易く吐出することができるので、組立時間の短縮はもちろん、製造コストを節減することができるサイドボタンを具備したポンピング式化粧品容器に関する。
【背景技術】
【０００２】
一般的にポンピング式化粧品容器は、ポンピング部材のポンピング作用によって内容物を外部に排出するように構成されるもので、内容物を収容する容器本体と、前記容器本体の上部に結合され、ポンピング作用によって容器本体に収容された内容物を上部に移動させるポンピング部材と、前記ポンピング部材の上部に結合され、ユーザーの加圧によってポンピング部材に圧力を伝達し、一側に内容物の排出のための、内容物排出ホールが形成されるボタン部で構成される。
【０００３】
前記のような構成のポンピング式化粧品容器は、ユーザーがボタン部を加圧すると、その圧力によってポンピング部材を構成するシリンダー内部に圧力の変化が発生し、圧力変化により、容器本体内部に貯蔵した内容物を一定量ずつ内容物排出ホールを通って排出するように構成され、従来のポンピング式化粧品容器は、内容物を貯蔵さする容器本体の直上方に、ポンピング部材及びボタン部が位置し、ボタン部の昇降によって内容物を排出するように構成され、ボタン部の一側に形成された内容物排出ホールが上下に位置が変化するようになり、内容物をユーザが願う部位に直接塗布することが難しくて、ユーザーの手に内容物を排出した後、肌に塗布する問題があった。
【０００４】
前記のような問題点を解決するために、最近では上部にはアプリケータを具備し、側面にはボタン部を形成し、側面ボタン部を操作の時に、アプリケータを介して内容物を吐出して使用できるサイドボタンを具備したポンピング式化粧品容器の開発が活発に行われている。
【０００５】
前記のようなサイドボタンを具備したポンピング式化粧品容器が登録特許第10-1464191号（以下、登録特許とする。）に開示されている。
【０００６】
前記特許は、内容物を収容する容器本体と、
前記容器本体の上部に位置し、内容物が移動する通路を形成し、容器本体に直交するように側面を向かって位置するシリンダー本体と、前記シリンダ本体の下部に延長し形成され、前記容器本体に収容した内容物が、前記シリンダー本体の内部に流入するように内容物流入ホールが形成される内容物流入管と、前記シリンダ本体の上部に延長し形成され、前記シリンダー本体の内部に流入した内容物が流出するように内容物流出ホールが形成される内容物流出管を含むシリンダ部と、
前記シリンダー本体の内部に挿入され、ポンピング作用によってシリンダー本体内部の圧力を変化させ、内容物を排出するポンピング部材と、
前記ポンピング部材に結合され、押し作動によってポンピング部材へ圧力を伝達するボタン部と、
前記内容物流出ホールを通って流出される内容物を外部に排出し、ユーザーの肌に塗布することができるように、内容物排出ホールが形成されたアプリケータと、を含み、
前記ポンピング部材は、シリンダー本体の内部で移動するピストンロッドと、前記ピストンロッドの外周面を包んで結合し、シリンダ本体の内壁に密着した状態で移動するシールキャップと、前記ボタン部の内側に固定し設置され、ピストンロッドと結合し、ボタン部を押し作動による圧力をピストンロッドに伝達するステム及び、前記シリンダー本体の外部から前記ステムの外周面を包んで設置され、前記ボタン部の加圧の時に収縮され、ボタン部の加圧を解除すると弛緩され、ステムに弾性力を提供し、ボタン部を復元させるバネで構成され、
前記ピストンロッドは、前記ポンピング部材のポンピング作用によって、内容物が内容物流出ホールに移動する過程で干渉が発生することを防止するように、前記シリンダー本体内で移動するピストンロッド先端が、前記内容物流入ホールと内容物流出ホールの全体を選り分けない程度の範囲内で行政区間が成されることが特徴である。
【０００７】
しかし、前記のような構成で成された登録特許は、容器本体に貯蔵した内容物排出のために、ポンピング作動を遂行するポンピング部材を具備するもので、ピストンロッド、シールキャップ、ステム、スプリングなどで構成される複雑な構造のポンピング部材を介してポンピング作動が行われる構造なので、ポンピング部材を設置するための組立時間の増加はもちろん、容器の単価上昇を招き、ユーザーの費用的な負担を与えるという問題があった。
【発明の概要】
【発明が解決しようとする課題】
【０００８】
本発明は、上述した問題点を解決するために考案されたものであり、本発明の目的は、ユーザーがボタン部を加圧の時に、ボタン部自体の弾性力によってボタン部が弾性変形することによってポンピング作動が行われ、内容物が吐出するように構成されることで、別途のポンピング部材が存在しなくても、簡単な構造を介して内容物を容易く吐出することができるので、組立時間の短縮はもちろん、製造コストを節減することができるサイドボタンを具備したポンピング式化粧品容器を提供する。
【課題を解決するための手段】
【０００９】
前記のような問題点を解決するために、本発明に係るサイドボタンを具備したポンピング式化粧品容器は、内容物を貯蔵し、貯蔵した内容物を排出するように
排出部に具備する容器本体と、
前記排出部を包んで結合し、前記容器本体に貯蔵した内容物が流入するように内容物流入ホールを形成し、前記内容物流入ホールを開閉するように、第1チェックバルブを設置するバルブハウジングと、
前記バルブハウジングに結合し、内容物が移動する通路を形成するシリンダー本体と、前記シリンダ本体の下部に延長し形成され、前記容器本体に貯蔵した内容物を前記シリンダー本体の内部に流入させる内容物流入管と、前記シリンダ本体の上部に延長し形成され、前記シリンダー本体の内部に流入した内容物を流出する内容物流出管とを含むシリンダ部と、
前記シリンダー本体の内部に結合するボタン本体と、前記ボタン本体の先端に位置し、ユーザーの加圧可否によって、その形状が変化する弾性材質の加圧部と、前記加圧部の操作によって、シリンダ本体に流入した内容物が流出するように、前記ボタン本体の側面に、前記内容物流出管と連通する内容物流出ホールとを含むボタン部と、
前記ボタン部内側に結合され、前記加圧部の加圧可否によって、前記ボタン本体の内周面に密着した状態で移動し、前記シリンダー部の内部圧力を変化させるピストン部と、
前記内容物の流出ホールを通って流出する内容物を外部に吐出し、ユーザーの肌に塗布することができるように内容物吐出ホールが形成されたアプリケータと、
前記アプリケータを支持し、その側面にボタン部を挿入し、外部に露出するように挿入ホールが形成される支持体と、を含むことを特徴とする。
【００１０】
また、前記ピストン部は、前記内容物流入管を介して、前記シリンダー本体の内部に流入した内容物が内容物流出管に移動するように内容物移動ホールが形成され、前記内容物の移動ホールを開閉する第2チェックバルブが設置されるピストン本体と、
前記ピストン本体の側面を取り囲んで延長し形成され、前記ボタン本体の内周面に密着し形成される延長部を含むことを特徴とする。
【００１１】
また、前記延長部は、前記加圧部の加圧可否によって、前記内容物流出ホールを開閉し、未使用時には前記内容物流出ホールを閉栓した状態で位置し、前記加圧部の加圧によりピストン本体が移動することにより、前記内容物流出ホールを開栓するように構成されることを特徴とする。
【００１２】
また、前記加圧部の内側には、前記ピストン本体に結合し、ピストン部を固定する固定突起を具備し、前記固定突起には、前記ピストン本体に流入した内容物が、前記内容物流出ホールを通って流出するように内容物の移動溝が形成されることを特徴とする。
【００１３】
また、前記シリンダー本体の下端には、前記内容物流入管を通って流入する内容物がシリンダ本体に移動するように、連通ホールが形成されることを特徴とする。
【発明の効果】
【００１４】
以上のように、本発明によれば、ユーザーがボタン部を加圧の時に、ボタン部自体の弾性力により、ボタン部が弾性変形することによって、ポンピング作動が行われ、内容物を吐出するように構成されることにより、別途のポンピング部材が存在しなくても、簡単な構造を介して内容物を容易く吐出することができるので、組立時間の短縮はもちろん、製造コストを節減することができる長所がある。
【００１５】
また、普段ピストン部の延長部が内容物流出ホールを閉栓し、ユーザーがボタン部を加圧の時に、ボタン部の弾性変形によってピストン部が移動し、延長部が内容物流出ホールを開栓し、内容物が吐出するように構成されることにより、使わない状態で、内容物の漏液を防止することができるという長所がある。
【図面の簡単な説明】
【００１６】
【図１】本発明の好ましい実施例に係るサイドボタンを具備したポンピング式化粧品容器の構成を示す分解斜視図である。
【図２】本発明の好ましい実施例に係るサイドボタンを具備したポンピング式化粧品容器の構成を示す組立斜視図である。
【図３】本発明の好ましい実施例に係るサイドボタンを具備したポンピング式化粧品容器の構成を示す組立断面図である。
【図４】本発明の好ましい実施例に係るサイドボタンを具備したポンピング式化粧品容器の固定突起とピストン本体が結合された状態で、内容物移動溝の構成を示す説明図である。
【図５】本発明の好ましい実施例に係るサイドボタンを具備したポンピング式化粧品容器の作動状態を示す状態図である。
【発明を実施するための形態】
【００１７】
以下、図面を参照して本発明を詳細に説明する。各図面に提示された同一の参照符号は、同一の部材を示す。
【００１８】
図1は、本発明の好ましい実施例に係るサイドボタンを具備したポンピング式化粧品容器の構成を示す分解斜視図であり、図2は、本発明の好ましい実施例に係るサイドボタンを具備したポンピング式化粧品容器の構成を示す組立斜視図であり、図3は、本発明の好ましい実施例に係るサイドボタンを具備したポンピング式化粧品容器の構成を示す組立断面図である。
【００１９】
図1〜3を参照すると、本発明の好ましい実施例に係るサイドボタンを具備したポンピング式化粧品容器は、容器本体100、バルブハウジング200、シリンダ部300、ボタン部400、ピストン部500、アプリケータ600、支持体700が含まれる。
【００２０】
前記容器本体100は、内容物が貯蔵されるものとして、その上部には貯蔵した内容物を排出するように排出部110を具備し、前記排出部110の上端には、バルブハウジング200の下端に接触し、排出部110とバルブハウジング200の間の空間を介して、内容物の漏液が発生することを防止できるようにシーリング部材900が設置されることが好ましい。
【００２１】
また、容器本体100の内側には、内容物の使用によって上昇するピストンを具備する。
【００２２】
前記バルブハウジング200は、前記排出部110を包んで結合し、排出部110を閉栓するものとして、ボタン部400の操作を介したポンピング作動の時に、容器本体100に貯蔵した内容物がシリンダ部300の内部に移動するように、内容物が流入する内容物流入ホール210が形成され、前記バルブハウジング200には、ボタン部400の操作を介したポンピング作動により、前記内容物流入ホール210を開閉する第1チェックバルブ220を設置することが好ましい。
【００２３】
前記シリンダ部300は、前記バルブハウジング200に結合し、内容物が移動する通路が形成されるものとして、シリンダー本体310、内容物流入管320、内容物流出管330を含む。
【００２４】
前記シリンダー本体310は、後述するピストン部500が作動される空間を形成するものであり、本発明において、前記シリンダ本体310は、前記容器本体100に直交するように側面を向かって位置することが特徴である。
【００２５】
前記シリンダー本体310は、前記容器本体100に直交するように側面を向かって位置することにより、ボタン部400が容器本体の直上方ではなく、側面に設置することができる。これによって、側面に形成されたボタン部400を加圧の時に、ポンピング作動が行われ、アプリケータ600を介して内容物が吐出するように構成されるので、アプリケータ600を介してユーザーが願う部位に正確に内容物の塗布ができる。
【００２６】
一方、前記シリンダー本体310の下端には、内容物流入管320を介して流入する内容物がシリンダ本体310に移動することができるように連通ホール311が形成される。
【００２７】
前記内容物流入管320は、前記シリンダ本体310の下部に延長し形成され、容器本体100の上部を閉栓するバルブハウジング200と結合するものとして、ボタン部400の操作によるポンピング作動により、第1チェックバルブ220が前記内容物流入ホール210を開栓の時に、内容物流入ホール210を通って移動する内容物が、前記シリンダー本体310の内部に流入することができる。
【００２８】
前記内容物流出管330は、前記シリンダ本体310の上部に延長し形成され、前記シリンダー本体310の内部に流入した内容物を外部に流出するものとして、シリンダー本体310の内部に流入した内容物がアプリケータ600に移動することができるように吐出口730と連通するように構成される。
【００２９】
前記ボタン部400は、前記シリンダ部300に結合し、前記容器本体100に直交するように側面を向かって設置するものとして、ユーザーの加圧可否によって弾性変形され、その内側に結合したピストン部500を移動させることにより、シリンダ部300内部の圧力を変化させ、シリンダ部300に流入した内容物を外部に排出するように構成され、本発明において、前記ボタン部400は、前記シリンダ本体310の内部に結合するボタン本体410と、前記ボタン本体410の先端に位置し、ユーザーの加圧可否によって、その形状が変化する弾性材質の加圧部420で構成されることが特徴である。
【００３０】
前記ボタン本体410は、前記連通ホール311を通ってシリンダ本体310の内部に内容物が移動することができるように、その下端一部が切開し形成され、その側面には、前記加圧部420の操作によりシリンダ本体310に流入した内容物が内容物流出管300を介して流出するように、前記内容物流出管330と連通する内容物流出ホール411が形成される。
【００３１】
一方、前記加圧部420は、ユーザーが加圧部420を加圧の時に、加圧部420全体が前進移動し、ユーザーが加圧を解除の時に復元され、シリンダ部300内部の圧力を変化させ、シリンダ部300に流入した内容物を外部に排出するように構成され、ユーザーの加圧可否によって弾性変形することができるように弾性材質で形成される。
【００３２】
また、前記加圧部420の内側には、前記ピストン本体510に結合し、ピストン部500を固定する固定突起421を具備し、前記固定突起421には、前記ピストン本体510に流入した内容物が、前記内容物流出ホール411を通って流出するように内容物移動溝422が形成される。
【００３３】
前記内容物移動溝422は、固定突起421の長さ方向に沿って多数個が形成され、加圧部420とシリンダ本体310の先端が形成する空間と連通するように構成されて内容物の移動が行われる。
【００３４】
前記ピストン部500は、前記ボタン部400の内側で前記固定突起421に結合し、前記加圧部420の加圧可否によって、前記ボタン本体410の内周面に密着した状態で移動し、前記シリンダ部300の内部圧力を変化させるものとして、ピストン本体510、延長部520を含む。
【００３５】
前記ピストン本体510は、前記固定突起421に結合し、加圧部420の加圧可否によって、一緒に移動するものとして、前記内容物流入管320を介して前記シリンダ本体310の内部に流入した内容物が内容物流出管330に移動することができるように内容物移動ホール511が形成され、その内側には加圧部420の加圧可否によって、前記内容物移動ホール511を開閉する第2チェックバルブ512が設置される。
【００３６】
前記延長部520は、前記ピストン本体510の側面を取り囲んで延長し形成され、前記ボタン本体410の内周面に密着し形成されるものとして、ボタン本体410の内周面に密着した状態で移動する過程で、シリンダ部300の内部圧力を変化させ、シリンダ部300に流入した内容物が外部に吐出することができる。
【００３７】
一方、前記延長部520は、前記加圧部420の加圧可否によって、前記内容物流出ホール411を開閉するように構成されることが特徴として、未使用時には前記内容物流出ホール411を閉栓した状態で位置し、前記加圧部420を加圧する場合、ピストン本体510が移動することによって一緒に移動し、前記内容物流出ホール411を開栓するように構成される。これにより、普段使わない状態で、内容物流出ホール411を通って、内容物が漏液することを防止することができる。
【００３８】
前記アプリケータ600は、後述する支持体700の停止部710に停止されて内容物を外部に吐出するものとして、吐出口730を介して移動する内容物を外部に吐出し、ユーザーの肌に塗布することができるように、内容物吐出ホール510が形成される。
【００３９】
前記アプリケータ600は、用途によって、ユーザーの肌に内容物を効率的に塗布することができるようにローラー、ブラシ、スポンジなど多様に構成されることができる。
【００４０】
前記支持体700は、前記容器本体100の上部に結合し、前記アプリケータ600を支持するものとして、その上部にアプリケータ600が停止する停止部710が形成され、その側面にはボタン部400を挿入し、外部に露出するように挿入ホール720が形成される。
【００４１】
前記支持体700の中央部には、前記の内容物流出管330を介して流出する内容物がアプリケータ600に吐出することができるように内容物流出管330と連通する吐出口730が形成される。
【００４２】
一方、前記支持体700には、アプリケータ600を保護し、内容物吐出ホール610を通って異物が流入することを防止するように、前記アプリケータ600を包むオーバーキャップ800が着脱可能に結合される。
【００４３】
以下では、図4及び5を参照し、本発明の好ましい実施例に係るサイドボタンを具備したポンピング式化粧品容器の作動過程を説明する。
【００４４】
図4は、本発明の好ましい実施例に係るサイドボタンを具備したポンピング式化粧品容器の固定突起とピストン本体が結合した状態で、内容物移動溝の構成を示す説明図であり、図5は、本発明の好ましい実施例に係るサイドボタンを具備したポンピング式化粧品容器の作動状態を示す状態図である。
【００４５】
図4及び図5を参照すると、ユーザーが加圧部420を加圧すると、弾性材料で形成される加圧部420が前進し移動する。これにより、加圧部420の固定突起421と結合したピストン本体510が一緒に移動し、ピストン本体510が移動すると、その側面に延長し形成された延長部520がボタン本体410の内壁に密着した状態で移動することによって、シリンダ部300の圧力が変化し、ポンピング作動が行われる。
【００４６】
前記のようにポンピング作動が行われると、シリンダ部300に流入した内容物が移動する圧力により、第2チェックバルブ512が内容物移動ホール511を開栓し、内容物移動ホール511を通ってピストン本体510の内部に内容物が移動し、ピストン本体510の内部に移動した内容物が内容物移動溝422を経て、加圧部420とシリンダ本体310の先端が形成する空間を介して内容物流出管330に移動する。
【００４７】
このとき、加圧部420の加圧によって延長部520が移動することによって、内容物流出管330の開栓が行われるので、内容物流出管330を介して移動する内容物が、吐出口730を経て内容物吐出ホール610を通ってアプリケータ600で吐出が行われる。
【００４８】
一方、加圧部420の加圧が解除されると、加圧部420自体の弾性力によって前進し移動した加圧部420が復元される。これにより、加圧部420の固定突起421と結合したピストン本体510が一緒に移動することによって、ピストン本体510の側面に延長し形成された延長部520が、ボタン本体410の内壁に密着した状態で移動することによって、シリンダ部300の内部に吸引力が発生し、第1チェックバルブ220は開栓され、第2チェックバルブ512は閉栓され、内容物流入ホール210を通ってシリンダ部300の内部に、容器本体100に貯蔵した内容物の流入が行われる。
【００４９】
このとき、加圧部420の加圧解除により延長部520が移動することによって、内容物流出管330の閉栓が行われる。これにより、シリンダ部300に流入された内容物の漏液を防止するとともに、シリンダ部300に空気が流入することを防止する。
【００５０】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形および均等な他の実施例が可能であることを理解すべきである。また、本発明の真の技術的保護範囲は、添付された特許請求の範囲の技術的思想によって定められる。
【図１】
2018500116.tif 000002
【図２】
2018500116.tif 000003
【図３】
2018500116.tif 000004
【図４】
2018500116.tif 000005
【図５（ａ）】
2018500116.tif 000006
【図５（ｂ）】
2018500116.tif 000007
【国際調査報告】
2018500116.tif 000008
2018500116.tif 000009
2018500116.tif 000010
2018500116.tif 000011